(57)【要約】【課題】太物電線が複数本の細物電線の電線束と別かれて直線性を保持され、太物電線および電線束が最小の通路断面積の通路を有するプロテクタで保護され、狭小空間に配索される電線のプロテクタ保護構造を提供すること。【解決手段】隔壁部１４により電線束挿通路Ｒ２と太物電線挿通路Ｒ１に分かれたプロテクタ本体１０と、蓋板１６とを有するプロテクタ１と、電線束ＷＢと太物電線Ｗ２とに分かれる複数の電線Ｗと、を備え、側面部１２，１３は、電線束ＷＢの束径Ｄ２に略等しく立ち上がり、側面部１２は、出口側端より中程までが、側面部１２との間隔が電線束ＷＢの束径＋太物電線Ｗ２の径に略等しく、隔壁部１４は、立ち上がり高さ、および太物電線挿通路Ｒ１が太物電線Ｗ２の直径にほぼ等しい大きさに設定され、かつ凸部１５ａ，１５ｂで太物電線Ｗ２が脱出を防止され、電線束ＷＢは、電線束挿通路Ｒ２に収容されている。【選択図】図１
2017163664.tif 000002
【特許請求の範囲】
【請求項１】
底面部と、前記底面部の両側縁より立ち上がる一対の側面部と、前記一対の側面部間を狭い幅の太物電線挿通路Ｒ１と広い幅の電線束挿通路Ｒ２とに仕切るように前記底面部より立ち上がる隔壁部と、を含む溝形のプロテクタ本体と、前記プロテクタ本体の前記一対の側面部間の開口を閉じてロックされる蓋板とを有するプロテクタと、
前記プロテクタ本体内に挿通された複数の電線と、を備えた電線のプロテクタ保護構造であって、
前記複数の電線は、１本の前記太物電線と、複数本の細物電線がテープで束ねられた束径Ｄ２が前記太物電線の径Ｄ１よりも大きい電線束と、に分かれて前記太物電線挿通路Ｒ１と前記電線束挿通路Ｒ２とに挿通され、
前記一対の側面部は、前記電線束の束径Ｄ２に略等しく立ち上がるように形成され、
前記一対の側面部のうち、太物電線挿通路Ｒ１側の側面部は、一直線に形成され、
前記電線束挿通路Ｒ２側の側面部は、出口側端より中程までが、前記太物電線挿通路Ｒ１側の側面部に対し、平行に、かつ間隔Ｌ１が、前記電線束の束径Ｄ２と前記太物電線の径Ｄ１との和に略等しく形成され、
前記隔壁部は、前記底面部の長手方向の中程より前記太物電線の直径Ｄ１よりも所要大きく立ち上がり、かつ、前記太物電線挿通路Ｒ１側の側面部と前記隔壁部との間の隙間が前記太物電線の直径Ｄ１にほぼ等しい大きさに設定され、前記太物電線挿通路Ｒ１側の上端位置に、前記太物電線の脱出を防止する前記隔壁部の長さよりも小さい幅の凸部が１つまたは複数形成されており、
前記電線束は、前記電線束挿通路Ｒ２に収容され、
前記太物電線は、前記太物電線挿通路Ｒ１に収容されている、ことを特徴とする電線のプロテクタ保護構造。
【請求項２】
前記電線束挿通路Ｒ２側の側面部は、入口側端より全長の少なくとも１／３の長さ部分が、前記太物電線挿通路Ｒ１側の側面部に対し、平行に、かつ間隔Ｌ２が、前記出口側端における前記太物電線挿通路Ｒ１側の側面部に対する間隔Ｌ１よりも所要大きく形成され、前記入口側の間隔Ｌ２に対応する位置において、前記電線束の束内の微細隙間を閉塞する止水剤が充填され、かつ止水剤を覆う筒状閉塞部を備えている、ことを特徴とする請求項１に記載の電線のプロテクタ保護構造。
【発明の詳細な説明】
【技術分野】
【０００１】
本発明は、車両に配索される電線を保護するプロテクタによる保護構造に関する。
【背景技術】
【０００２】
従来、車両に配索される電線には、細物電線と太物電線とがある。細物電線は、小容量電装品としての、例えばＥＣＵ等とを接続するように配線される。太物電線は、例えば、バッテリと大容量ヒューズと開閉スイッチと大容量の電装品との各間を接続するように配線される。
【０００３】
また、車両には、幅および高さのいずれもが小さい空間の電線配索通路があり、太物電線と多数の細物電線とを電線束として纏めて配索しなくてはならない場合がある。この場合、前記狭小空間の電線配索通路に設置するプロテクタは、多数の細物電線と太物電線とをプロテクタ通路内一杯に通さなければならない。
【０００４】
プロテクタは、樋形状のプロテクタ本体と、プロテクタ本体内に電線束を挿通した後に被せてロック結合する蓋とからなる。プロテクタ内に挿通する複数の電線のうち、特定電線の配線位置が規定される場合がある。特許文献１に記載されたプロテクタは、プロテクタ本体の底面部から隔壁が突設され、後配索される電線のために、プロテクタ本体内の片側に狭幅の通路が区画されている。
【先行技術文献】
【特許文献】
【０００５】
【特許文献１】特開２０１２−９０５０５号公報
【発明の概要】
【発明が解決しようとする課題】
【０００６】
しかしながら、近年では、アルミ電線化による電線の太径化、エンジンルーム側と車室側の配線を一纏めにして、従来よりも多くの電線をテープ巻きにより一纏めにすることによる電線の太径化の傾向があるので、狭小空間の電線配索通路に設置するプロテクタの設計は難しいものとなっている。アルミ電線よりなる複数本の細物電線と太物電線とを纏めて丸電線とすると、従来のものよりも直径サイズが大きくなり、従来において採用しているプロテクタでは通路断面積が小さくて収容することができない。そこで、通路断面積の大きいプロテクタを用意する必要があるが、狭小空間の電線配索通路に設置するプロテクタであるため、通路断面積の大きさには制限がある。
【０００７】
太物電線は、心線が太く剛性が高いので、配索に際して、余長を吸収できず、プロテクタ内を上下に動き、また捩じれて、直線性の保持規制が効かないことがあり、複数本の細物電線とともにテープ固定により束ねた場合に、電線束にうねりや捩じれを与えたりする恐れがあり、特に、太物電線と複数本の細物電線とをテープ固定により束ね丸電線とした場合、複数本の細物電線のみを丸電線として束ねた場合に比べ、圧力を加えても断面楕円形に変形しにくい傾向があり、余長が取れないことから、細物電線と一緒に束ねて丸電線として配索するのが好ましくない。
【０００８】
また、太物電線にあっては、複数本の細物電線と一緒にプロテクタ本体内を通過した後に、複数本の細物電線と別れ、ボルト止め端子により電極に固定される場合があり、プロテクタ本体内をねじれて通過した状態では、ボルト止め端子の取り付けに支障をきたす恐れがあるので、プロテクタ本体内で直線性が保たれる必要がある。また複数本の細物電線とともに束ねることで太物電線がねじれてしまうことを避けなければならないから、プロテクタ本体内において別経路を確保して配索する必要がある。
【０００９】
また、プロテクタ本体内で、止水を行うには、太物電線の阻害性が指摘される。すなわち、電線束の止水を行う場合、太物電線が含まれていると、太物電線が止水剤の円滑な注入を阻害する恐れがある。止水を良好に行うには、複数本の細物電線に対する止水と、太物電線に対する止水とに分ける方が良い。
【００１０】
こうしたことから、パーキングケーブルのような後配索される電線のためだけでなく、太物電線にあっては、配線位置を規定しなくてはならない場合がある。
【００１１】
本発明は、上述した問題に鑑みてなされたものであり、太物電線が複数本の細物電線の電線束と別かれて直線性を保持され、太物電線および電線束が最小の通路断面積の通路を有するプロテクタで保護され、狭小空間に配索される電線のプロテクタ保護構造を提供することを目的としている。
【課題を解決するための手段】
【００１２】
本発明に係る電線のプロテクタ保護構造は、上記目的達成のため、底面部と、前記底面部の両側縁より立ち上がる一対の側面部と、前記一対の側面部間を狭い幅の太物電線挿通路Ｒ１と広い幅の電線束挿通路Ｒ２とに仕切るように前記底面部より立ち上がる隔壁部と、を含む溝形のプロテクタ本体と、前記プロテクタ本体の前記一対の側面部間の開口を閉じてロックされる蓋板とを有するプロテクタと、前記プロテクタ本体内に挿通された複数の電線と、を備えた電線のプロテクタ保護構造であって、前記複数の電線は、１本の前記太物電線と、複数本の細物電線がテープで束ねられた束径Ｄ２が前記太物電線の径Ｄ１よりも大きい電線束と、に分かれて前記太物電線挿通路Ｒ１と前記電線束挿通路Ｒ２とに挿通され、前記一対の側面部は、前記電線束の束径Ｄ２に略等しく立ち上がるように形成され、前記一対の側面部のうち、太物電線挿通路Ｒ１側の側面部は、一直線に形成され、前記電線束挿通路Ｒ２側の側面部は、出口側端より中程までが、前記太物電線挿通路Ｒ１側の側面部に対し、平行に、かつ間隔Ｌ１が、前記電線束の束径Ｄ２と前記太物電線の径Ｄ１との和に略等しく形成され、前記隔壁部は、前記底面部の長手方向の中程より前記太物電線の直径Ｄ１よりも所要大きく立ち上がり、かつ、前記太物電線挿通路Ｒ１側の側面部と前記隔壁部との間の隙間が前記太物電線の直径Ｄ１にほぼ等しい大きさに設定され、前記太物電線挿通路Ｒ１側の上端位置に、前記太物電線の脱出を防止する前記隔壁部の長さよりも小さい幅の凸部が１つまたは複数形成されており、前記電線束は、前記電線束挿通路Ｒ２に収容され、前記太物電線は、前記太物電線挿通路Ｒ１に収容されている、構成である。
【００１３】
上記構成により、本発明に係る電線のプロテクタ保護構造は、プロテクタ内が電線束挿通路Ｒ２と太物電線挿通路Ｒ１とに仕切られ、電線束と太物電線とが分かれて挿通され、太物電線が直線性を保持され、電線束が最小の断面積の通路に保持され、もって、狭小空間に太物電線および電線束を一緒に保護するプロテクタを介して配索する場合に適用することができる。
【００１４】
本発明に係る電線のプロテクタ保護構造は、前記電線束挿通路Ｒ２側の側面部は、入口側端より全長の少なくとも１／３の長さ部分が、前記太物電線挿通路Ｒ１側の側面部に対し、平行に、かつ間隔Ｌ２が、前記出口側端における前記太物電線挿通路Ｒ１側の側面部に対する間隔Ｌ１よりも所要大きく形成され、前記入口側の間隔Ｌ２に対応する位置において、前記電線束の束内の微細隙間を閉塞する止水剤が充填され、かつ止水剤を覆う筒状閉塞部を備えた構成とするのがよい。
【００１５】
上記構成により、プロテクタの内空間が狭小であっても、電線束挿通路Ｒ２に挿通される毛管現象を生じる電線束に対応する止水が行われる。
【発明の効果】
【００１６】
本発明によれば、太物電線が複数本の細物電線の電線束と別かれて直線性を保持され、太物電線および電線束が最小の通路断面積の通路を有するプロテクタで保護され、狭小空間に配索される電線のプロテクタ保護構造を提供することができる。
【図面の簡単な説明】
【００１７】
【図１】本発明の実施の形態に係る電線のプロテクタ保護構造を示す斜視図である。
【図２】本発明の実施の形態に係る電線のプロテクタ保護構造を示す分解斜視図である。
【図３】本発明の実施の形態に係る電線のプロテクタ保護構造におけるプロテクタ本体の車体パネルに対する取付態様を示す平面図である。
【図４】図３におけるＡ−Ａ線による断面図である。
【発明を実施するための形態】
【００１８】
以下、本発明の実施の形態の形態に係る電線のプロテクタ保護構造について図面を参照して説明する。
【００１９】
図１〜図４に示すように、本実施の形態に係る電線のプロテクタ保護構造は、プロテクタ本体１０と蓋板１６とを有するプロテクタ１と、プロテクタ１内に挿通された複数の電線Ｗと、を備えている。複数の電線Ｗは、複数本の細物電線Ｗ１が粘着テープにより螺旋巻きされて束ねられてなる電線束ＷＢと、１本の太物電線Ｗ２と、に分かれてプロテクタ１に挿通されている。電線束ＷＢは、束径Ｄ２が太物電線Ｗ２の径Ｄ１よりも大きい（図４参照）。なお、電線束ＷＢは、複数本の細物電線Ｗ１の長手方向の複数箇所を粘着テープにより部分巻きされたものでもよい。
【００２０】
自動車用電線において、細物電線Ｗ１は芯線断面積が０．１〜１．２５ｍｍ２以下、中物電線は芯線断面積が１．２５ｍｍ２を越えて８ｍｍ２未満で区別されている。この実施の形態に係る太物電線Ｗ２は、例えば、断面積が８ｍｍ２以上の芯線が厚さ０．９ｍｍ以上の絶縁被覆層で被覆されているものを指称する。
【００２１】
プロテクタ本体１０は、例えば、ポリプロピレン等からなる樹脂成形体であり、底面部１１と、底面部１１の両側縁より立ち上がる一対の側面部１２，１３と、一対の側面部１２，１３間を狭い幅の太物電線挿通路Ｒ１と広い幅の電線束挿通路Ｒ２とに仕切るように底面部１１より立ち上がる隔壁部１４と、を含む溝形に形成される。
【００２２】
底面部１１は、車体パネルＰ（図３、図４参照）側の側辺１１ａが屈曲しているのは、車体パネルＰに沿って屈曲しているものである。底面部１１の車体パネルＰから離れた側の側辺１１ｂは直線状である。一対の側面部１２，１３は、底面部１１の側辺１１ａと側辺１１ｂより立ち上がり、電線入口側が広い幅となりかつ電線出口側が狭い幅となっている。車体パネルＰから離れた側の側面部１３は、平面視において一直線に形成されている。
【００２３】
一対の側面部１２，１３の立ち上がり寸法は、図４に示すように、電線束ＷＢの束径Ｄ２に略等しく設定されている。車体パネルＰ側の側面部１２は、この実施の形態では、出口側端より中程までが、車体パネルＰから離れた側の側面部１３に対し、平行に、かつ間隔Ｌ１が、電線束ＷＢの束径Ｄ２に太物電線Ｗ２の径Ｄ１を加えた値に略等しく形成されている。ここで、前述した中程とは、全長の１／３から３／４の範囲をいう。
【００２４】
隔壁部１４は、プロテクタ本体１０の通路長の例えば１／３の長さでかつ車体パネルＰから離れた側の側面部１３と平行に対応するようにプロテクタ本体１０の通路方向の中間位置に立ち上がっている。また、隔壁部１４は、底面部１１より太物電線Ｗ２の径Ｄ１よりも所要大きく立ち上がっている。さらに、隔壁部１４は、車体パネルＰから離れた側の側面部１３との間の隙間が太物電線Ｗ２の直径Ｄ１にほぼ等しい大きさに設定されている。さらに、隔壁部１４は、図３に示すように、太物電線挿通路Ｒ１側の隔壁側面部の電線入口側と電線出口側の各上端位置に、太物電線Ｗ２の進入を許し脱出防止する凸部１５ａ，１５ｂが形成されている。
【００２５】
蓋板１６は、プロテクタ本体１０と同様に、例えば、ポリプロピレン等からなる樹脂成形体であり、プロテクタ本体１０の一対の側面部１２，１３間の開口を閉じた状態になるよう、底面部１１と対応する形状に形成されている。
【００２６】
蓋板１６をプロテクタ本体１０の一対の側面部１２，１３間の開口を閉じた状態に保持するロック手段として、プロテクタ本体１０の一対の側面部１２，１３の電線入口側と電線出口側の上端部の６か所に係止凹部１７ａが設けられているとともに、蓋板１６の前記係止凹部１７ａが設けられた６か所に対応する位置に、係止凹部１７ａと係合ロックする係止凸部１７ｂが設けられている。なお、プロテクタ本体１０には、壁面、床面または棚面等を構成する車両パネルに対してボルトにより固定するための複数の取付座１８を備えている。
【００２７】
これにより、プロテクタ本体１０は、例えば、図３および図４に示すように、取付座１８のボルト挿通孔が車体パネルＰの壁面に設けられた棚面２０のボルト孔に一致するように載置したうえで、ボルト２１により棚面２０に締め付け固定することが可能となる。
【００２８】
上記のように、内部空間が隔壁部１４により太物電線挿通路Ｒ１と電線束挿通路Ｒ２とに仕切られたプロテクタ１に、太物電線Ｗ２と電線束ＷＢとが分かれて挿通されている。
【００２９】
太物電線Ｗ２は、車体パネルＰから離れた側の側面部１３と隔壁部１４との間の隙間空間である太物電線挿通路Ｒ１に収容されかつ凸部１５ａ，１５ｂにより太物電線Ｗ２の脱出を防止される。太物電線挿通路Ｒ１を形成する側面部１３と隔壁部１４との間の隙間寸法および隔壁部１４の高さが、それぞれ太物電線Ｗ２の径Ｄ１に略一致しており、かつ、凸部１５ａ，１５ｂが太物電線Ｗ２を上から押さえつけるようになっているから、太物電線Ｗ２は、プロテクタ１内で直線性を保持することができる。
【００３０】
プロテクタ１は、電線束挿通路Ｒ２を形成する側面部１２と隔壁部１４との間の隙間寸法、および底面部１１と蓋板１６との間の隙間寸法が、それぞれ電線束ＷＢの束径Ｄ２の束径に略等しく設定されている。このため、車体パネルＰ側の側面部１２と隔壁部１４との間の隙間空間である電線束挿通路Ｒ２に収容される電線束ＷＢは、上下面および両側面を押さえられ、電線束挿通路Ｒ２の断面四隅方向に若干膨らんで収容される。
【００３１】
車体パネルＰ側の側面部１２は、入口側端より全長の少なくとも１／３の長さ部分が、車体パネルＰから離れた側の側面部１３に対し、平行に、かつ間隔Ｌ２が、出口側端における車体パネルＰから離れた側の側面部１３に対する間隔Ｌ１よりも所要大きく形成され、この間隔Ｌ２の箇所において、電線束ＷＢの束径内の微細隙間を閉塞する止水剤が充填され、かつ止水剤を覆う筒状閉塞部１９を備えている。なお、筒状閉塞部１９は、弾性と柔軟性を有する発泡樹脂シート１９ａを用いることができる。また止水剤は、例えば、シリコーン樹脂を用いることができる。
【００３２】
止水剤の拡散性は、径が相違する電線を混在させて電線束を構成すると低下する。すなわち、径が相違する電線を混在させた電線束では、細物電線の密集部分で止水剤がせき止められ、細物電線と太物電線との間に止水剤が充填されず空隙が発生する恐れがある。これに対して、上記のように、太物電線Ｗ２と複数本の細物電線Ｗ１からなる電線束ＷＢとが別れてプロテクタ１内を挿通され、間隔Ｌ２の箇所において、止水処理が行われるので、良好な止水処理を行うことができる。
【００３３】
上記のように構成された本実施の形態に係る電線のプロテクタ保護構造によれば、太物電線Ｗ２が暴れることなく直線性を保って挿通され、また複数本の細物電線Ｗ１からなる電線束ＷＢが狭小空間内を挿通される。本実施の形態に係る電線のプロテクタ保護構造によれば、太物電線Ｗ２のみを通す通路を設けているため、エンジン室内に配索する際に、太物電線Ｗ２の組み付け作業性を高めることができる。
【００３４】
本発明によれば、太物電線が複数本の細物電線の電線束と別かれて直線性を保持され、太物電線および電線束が最小の通路断面積の通路を有するプロテクタで保護され、狭小空間に配索されるという効果を有し、狭小な通路をプロテクタで保護するように電線を通す、電線のプロテクタ保護構造の全般に優れている。
【符号の説明】
【００３５】
１  プロテクタ
１０  プロテクタ本体
１１  底面部
１２，１３  側面部
１４  隔壁部
１５ａ，１５ｂ  凸部
１６  蓋板
１９  筒状閉塞部
１９ａ  発泡樹脂シート（筒状閉塞部）
Ｐ  車体パネル
Ｒ１  太物電線挿通路
Ｒ２  電線束挿通路
Ｗ１  細物電線
Ｗ２  太物電線
ＷＢ  電線束
【図１】
2017163664.tif 000003
【図２】
2017163664.tif 000004
【図３】
2017163664.tif 000005
【図４】
2017163664.tif 000006